(57)【要約】      （修正有）【課題】ユーザが容易に服薬情報を記録することができる血圧測定装置、服薬管理方法及び服薬管理プログラムを提供する。【解決手段】血圧計測装置は、処方箋情報を取得する処方箋情報取得部１１３と、血圧計測のための準備動作が行われたか否かを判定する準備動作判定部１１４と、準備動作が行われたと判定された状態で、操作ボタンが操作された場合に、血圧計測動作を行う血圧計測動作部１１５と、準備動作が行われていないと判定された状態で、操作ボタンが操作された場合に、当該操作を服薬確認操作と判断し、取得された処方箋情報に基づいて服薬情報を生成して記録する服薬記録処理部１１６とを具備する。【選択図】図１
2019109811.tif 000002
【特許請求の範囲】
【請求項１】
操作ボタンを備える血圧計測装置であって、
処方箋情報を取得する処方箋情報取得部と、
血圧計測のための準備動作が行われたか否かを判定する準備動作判定部と、
前記準備動作が行われたと判定された状態で、前記操作ボタンが操作された場合に、血圧計測動作を行う血圧計測動作部と、
前記準備動作が行われていないと判定された状態で、前記操作ボタンが操作された場合に、当該操作を服薬確認操作と判断し、前記取得された処方箋情報に基づいて服薬情報を生成して記録する服薬記録処理部と
を具備する血圧計測装置。
【請求項２】
前記血圧計測装置が、カフを備える場合に、
前記準備動作判定部は、前記カフの使用の有無により前記血圧計測のための準備動作が行われたか否かを判定する、
請求項１に記載の血圧計測装置。
【請求項３】
前記血圧計測装置が、電源ボタンを備える場合に、
前記準備動作判定部は、前記電源ボタンの操作の有無により前記血圧計測のための準備動作が行われたか否かを判定する、
請求項１に記載の血圧計測装置。
【請求項４】
前記服薬記録処理部は、前記操作ボタンの操作により入力された服薬確認情報の時間帯を判定し、前記処方箋情報から前記時間帯に対応する処方薬情報を読み出し、
前記服薬記録処理部は、前記服薬確認情報および前記処方薬情報に基づいて前記服薬情報を記録する、
請求項１に記載の血圧計測装置。
【請求項５】
前記服薬確認操作が行われていないと判定された状態で、服薬時間帯となった場合に、服薬を促す服薬メッセージの表示を制御する服薬表示制御部をさらに具備する、
請求項１乃至４のいずれかに記載の血圧計測装置。
【請求項６】
前記服薬記録処理部は、前記服薬時間帯の終了までに前記服薬確認操作が行われなかった場合に、服薬なし情報を記録する、
請求項５に記載の血圧計測装置。
【請求項７】
前記服薬記録処理部は、前記服薬情報に基づいて処方薬の残量を算出する、
請求項１乃至請求項６のいずれかに記載の血圧計測装置。
【請求項８】
前記服薬情報を外部装置に送信する服薬情報送信部をさらに具備する、
請求項１乃至請求項７のいずれかに記載の血圧計測装置。
【請求項９】
操作ボタンを備える血圧計測装置が実行する服薬管理方法であって、
処方箋情報を取得する過程と、
血圧計測のための準備動作が行われたか否かを判定する過程と、
前記準備動作が行われていないと判定された状態で、前記操作ボタンが操作された場合に、当該操作を服薬確認操作と判断し、前記取得された処方箋情報に基づいて服薬情報を生成して記録する過程と
を具備する服薬管理方法。
【請求項１０】
請求項９に記載の服薬管理方法が具備する前記各過程を、前記血圧計測装置が備えるプロセッサに実行させる服薬管理プログラム。
【発明の詳細な説明】
【技術分野】
【０００１】
この発明は、血圧計測装置、服薬管理方法、および服薬管理プログラムに関する。
【背景技術】
【０００２】
ユーザの服薬情報を管理するために、服薬管理装置が用いられることがある。特許文献１では、このような服薬管理装置が提案されている。特許文献１における服薬管理装置はタッチパネルディスプレイを備え、このタッチパネルディスプレイに服薬記録画面が表示される。服薬記録画面には服用すべき薬剤のボタンが表示され、ユーザは服薬した場合にタッチパネルディスプレイ上の該当する薬剤のボタンを選択して押下する。選択された薬剤は、服薬情報として記録される。これにより、比較的容易に服薬情報を記録することができる。
【先行技術文献】
【特許文献】
【０００３】
【特許文献１】特開２０１５−１９５９５１号公報
【発明の概要】
【発明が解決しようとする課題】
【０００４】
特許文献１に記載された装置のようにタッチパネルディスプレイに表示された薬剤のボタンを押下することで、比較的容易に服薬情報を記録することができる。
【０００５】
しかしながら、高齢者等のタッチパネルディスプレイに不慣れなユーザにとっては、上記操作は容易ではない。このようなユーザは、例えば、タッチパネルディスプレイに薬剤のボタンを表示させるまでの操作や表示されたボタンの押下位置等で戸惑う場合がある。その結果、装置を操作することができず、服薬情報の記録が困難となる。
【０００６】
本発明は、一側面では、このような実情を鑑みてなされたものであり、その目的は、ユーザがより容易に服薬情報を記録することができる技術を提供することである。
【課題を解決するための手段】
【０００７】
本発明は、上述した課題を解決するために、以下の構成を採用する。
【０００８】
すなわち、本発明の一側面に係る血圧計測装置は、操作ボタンを備える血圧計測装置であって、処方箋情報を取得する処方箋情報取得部と、血圧計測のための準備動作が行われたか否かを判定する準備動作判定部と、前記準備動作が行われたと判定された状態で、前記操作ボタンが操作された場合に、血圧計測動作を行う血圧計測動作部と、前記準備動作が行われていないと判定された状態で、前記操作ボタンが操作された場合に、当該操作を服薬確認操作と判断し、前記取得された処方箋情報に基づいて服薬情報を生成して記録する服薬記録処理部とを具備するものである。
【０００９】
上記構成によれば、血圧計測のための準備動作が行われていない状態で、操作ボタンが操作された場合に、その操作が服薬確認操作と判断される。そして、取得された処方箋情報に基づいて服薬情報が生成されて記録される。従って、ユーザは血圧計測装置において血圧計測の準備動作を行っていない状態で操作ボタンを操作するだけで、容易に服薬情報を記録することができる。
【００１０】
上記一側面に係る血圧計測装置において、前記血圧計測装置が、カフを備える場合に、前記準備動作判定部は、前記カフの使用の有無により前記血圧計測のための準備動作が行われたか否かを判定する。上記構成によれば、カフの使用の有無により、血圧計測操作か服薬確認操作かを判定することができる。
【００１１】
上記一側面に係る血圧計測装置において、前記血圧計測装置が、電源ボタンを備える場合に、前記準備動作判定部は、前記電源ボタンの操作の有無により前記血圧計測のための準備動作が行われたか否かを判定する。上記構成によれば、電源ボタンの操作の有無により、血圧計測操作か服薬確認操作かを判定することができる。
【００１２】
上記一側面に係る血圧計測装置において、前記服薬記録処理部は、前記操作ボタンの操作により入力された服薬確認情報の時間帯を判定し、前記処方箋情報から前記時間帯に対応する処方薬情報を読み出し、前記服薬記録処理部は、前記服薬確認情報および前記処方薬情報に基づいて前記服薬情報を記録する。上記構成によれば、服薬確認情報の入力の時間帯に応じて、対応する時間帯の処方薬情報が読み出され、服薬情報が記録される。これにより、容易に服薬情報を記録することが実現される。
【００１３】
上記一側面に係る血圧計測装置において、前記服薬確認操作が行われないと判定された状態で、服薬時間帯となった場合に、服薬を促す服薬メッセージの表示を制御する服薬表示制御部をさらに具備する。上記構成によれば、ユーザが服薬自体を忘れることを防ぐことができる。
【００１４】
上記一側面に係る血圧計測装置において、前記服薬記録処理部は、前記服薬時間帯の終了までに前記服薬確認操作が行われなかった場合に、服薬なし情報を記録する。上記構成によれば、もともと血圧が十分に低い状態（標準範囲内）であえて服薬を控える場合についても記録することができる。
【００１５】
上記一側面に係る血圧計測装置において、前記服薬記録処理部は、前記服薬情報に基づいて処方薬の残量を算出する。上記構成によれば、服薬情報に基づいて処方薬の残量を管理することができる。
【００１６】
上記一側面に係る血圧計測装置において、前記服薬情報を外部装置に送信する服薬情報送信部をさらに具備する。上記構成によれば、ユーザ端末および外部サーバに服薬情報を送信することができ、服薬情報を種々の目的に用いることができる。
【発明の効果】
【００１７】
本発明によれば、ユーザが容易に服薬情報を記録することができる技術を提供することができる。
【図面の簡単な説明】
【００１８】
【図１】図１は、実施の形態に係る服薬管理システムの適用場面の一例を模式的に例示する図である。
【図２】図２は、実施の形態に係る測定端末のハードウェア構成の一例を模式的に例示するブロック図である。
【図３】図３は、実施の形態に係る測定端末の外観の一例を模式的に例示する斜視図である。
【図４】図４は、実施の形態に係るユーザ端末のハードウェア構成の一例を模式的に例示するブロック図である。
【図５】図５は、実施の形態に係る医療者端末のハードウェア構成の一例を模式的に例示するブロック図である。
【図６】図６は、実施の形態に係るサーバのハードウェア構成の一例を模式的に例示するブロック図である。
【図７】図７は、実施の形態に係るサーバのハードウェア構成の一例を模式的に例示するブロック図である。
【図８】図８は、実施の形態に係る測定端末における制御部の機能構成の一例を模式的に例示するブロック図である。
【図９】図９は、実施の形態に係る処方箋情報の一例を例示する図である。
【図１０】図１０は、実施の形態に係る服薬情報の一例を例示する図である。
【図１１】図１１は、実施の形態に係る血圧計測装置の処理手順の一例を例示するフローチャートである。
【発明を実施するための形態】
【００１９】
以下、本発明の一側面に係る実施の形態（以下、「本実施形態」とも表記する）を、図面に基づいて説明する。ただし、以下で説明する本実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。なお、本実施形態において登場するデータを自然言語により説明しているが、より具体的には、コンピュータが認識可能な疑似言語、コマンド、パラメータ、マシン語等で指定される。
【００２０】
§１  適用例
まず、図１を用いて、本発明が適用される場面の一例について説明する。図１は、実施の形態に係る服薬管理システムの適用場面の一例を模式的に例示する図である。
【００２１】
図１に示されるとおり、服薬管理システムは、測定端末（血圧計測装置）１００、ユーザ端末２００、医療者端末３００、およびサーバ４００，５００を含む。
【００２２】
図１に示す服薬管理システムにおいて、測定端末１００はユーザ端末２００に例えば無線接続される。ユーザ端末２００、サーバ４００，５００は、互いに広域のネットワーク６００を介して接続される。また、サーバ４００は、図示しないローカルネットワークを介して医療者端末３００に接続される。なお、服薬管理システムの構成は、図１に示す構成に限定されるものではない。
【００２３】
例えば、測定端末１００は、ユーザ端末２００を介さずにサーバ４００，５００に接続されてもよい。また、測定端末１００が実現する機能（処理）の一部は、ユーザ端末２００が実施してもよい。
【００２４】
測定端末１００は、例えば、上腕式の電子血圧計である。測定端末１００は、ユーザの血圧値等の生体情報を測定する。また、測定端末１００は、操作ボタン（服薬確認ボタン）を含み、服薬管理装置としての機能を有する。
【００２５】
測定端末１００は、処方箋情報取得部１１３、準備動作判定部１１４、血圧計測動作部１１５、および服薬記録処理部１１６を含む。処方箋情報取得部１１３は、ユーザ端末２００で取得されたユーザの処方箋情報を取得する。なお、処方箋情報取得部１１３は、直接処方箋情報を取得してもよい。準備動作判定部１１４は、血圧計測のための準備動作が行われたか否かを判定する。血圧計測動作部１１５は、準備動作が行われたと判定された状態で、操作ボタンが操作された場合に、血圧計測動作を行う。服薬記録処理部１１６は、準備動作が行われていない状態で、操作ボタンが操作（例えば１度押下）された場合に、当該操作を服薬確認操作と判断する。そして、服薬記録処理部１１６は、取得された処方箋情報に基づいて服薬情報を生成して記録する。
【００２６】
ユーザ端末２００は、例えば、個々のユーザが利用する情報通信端末であり、例えば、スマートフォン、携帯電話、タブレットＰＣ、またはノートＰＣ等の携帯可能な情報通信端末からなる。ユーザ端末２００は、測定端末１００により測定された生体情報をサーバ４００，５００に転送する。また、ユーザ端末２００は、処方箋情報を取得し、測定端末１００に送信する。また、ユーザ端末２００は、測定端末１００により記録された服薬情報を受信し、サーバ４００，５００に送信する。また、ユーザ端末２００は、服薬情報を表示してもよい。
【００２７】
医療者端末３００は、医療者（医師および薬剤師等）が使用する情報通信装置であり、例えば、デスクトップＰＣ、ノートＰＣ、またはタブレットＰＣからなる。医療者端末３００には、医療者の操作に応じて、処方箋情報が入力される。
【００２８】
サーバ４００は、例えば、病院が使用するサーバである。サーバ４００は、ユーザ端末２００から送信されるユーザの服薬情報を管理する。また、服薬情報は、医療者端末３００に送信され、医療者によって確認されるようにしてもよい。
【００２９】
サーバ５００は、例えば、保険会社が使用するサーバである。サーバ５００は、例えば、ユーザ端末２００から送信されるユーザの服薬情報を判定し、判定結果に応じた保険料のディスカウント処理等を行う。
【００３０】
以上のとおり、測定端末１００によれば、血圧計測のための準備動作が行われていない状態で、操作ボタンが操作された場合に、その操作が服薬確認操作と判断される。その場合、取得された処方箋情報に基づいて服薬情報が生成されて記録される。このとき、操作ボタンの操作は、例えば操作ボタンを１度押下することにより行われる。すなわち、ユーザによる複雑な操作は不要であり、容易に服薬情報を記録することができる。
【００３１】
§２  構成例
［ハードウェア構成］
＜測定端末１００＞
次に、図２を用いて、本実施形態に係る測定端末１００のハードウェア構成の一例について説明する。図２は、実施の形態に係る測定端末１００のハードウェア構成の一例を模式的に例示するブロック図である。
【００３２】
図２に示されるとおり、本実施形態に係る測定端末１００は、制御部１１０、通信部１２０、記憶部１３０、操作部１４０、表示部１５０、生体センサ１６０、および加速度センサ１７０を含む。
【００３３】
制御部１１０は、ＣＰＵ（Central Processing Unit）１１１およびメモリ１１２を含む。メモリ１１２は、ＲＡＭ（Random Access Memory）およびＲＯＭ（Read Only Memory）等を含む。メモリ１１２は、ＣＰＵ１１１が実行するプログラムを記憶したり、ワークメモリとして機能したりする。制御部１１０は、ＣＰＵ１１１がメモリ１１２を用いてプログラムを実行することにより、各種の動作制御およびデータ処理等を行う。
【００３４】
通信部１２０は、ユーザ端末２００と通信するための通信インターフェースである。通信部１２０は、ユーザ端末２００へのデータを送信したり、ユーザ端末２００からのデータを受信したりする。通信部１２０による通信は、無線通信あるいは有線通信のいずれであってもよい。本実施形態において、通信部１２０は、近距離無線通信によりユーザ端末２００と通信するものを想定して説明する。しかし、通信部１２０は、これに限定されず、通信ケーブルを用いて通信するものであってもよいし、ＬＡＮ（Local Area Network）のようなネットワークを介して通信するものであってもよい。
【００３５】
記憶部１３０は、制御部１１０で実行される服薬管理プログラム１３１を記憶する。また、記憶部１３０は、処方箋情報および服薬情報を記憶する。また、記憶部１３０は、測定端末１００を制御するためのプログラム、測定端末１００の各種機能を設定するための設定データ、並びに生体センサ１６０および加速度センサ１７０が測定した測定データ等を記憶する。また、記憶部１３０は、プログラムが実行されるときのワークメモリとして用いられてもよい。
【００３６】
操作部１４０は、ユーザによる操作を検出し、操作内容を示す操作信号を制御部１１０へ出力する。また、操作部１４０は、例えば操作ボタンおよび電源ボタン等を含む。操作ボタンは、血圧計測のための準備動作が行われていない状態でユーザによって押下されることによってユーザが服薬したことを確認するボタンである。操作ボタンは、服薬直後に押下されることが望ましいが、服薬直前または服薬時に押下されてもよい。操作ボタンの押下によって、服薬時間帯等の情報を含む服薬確認情報が生成される。服薬時間帯は、図示しない時計部による時間帯情報に基づいて、操作ボタン１４０Ｂが押下された時間帯から算出される。
【００３７】
表示部１５０は、表示画面（例えば、ＬＣＤ（Liquid Crystal Display）またはＥＬ（Electroluminescence）ディスプレイ等）およびインジケータ等を含む。表示部１５０は、制御部１１０からの制御信号に従って所定の情報を表示する。また、表示部１５０は、服薬に関する情報、例えば、服薬情報（服薬履歴）および服薬を促す服薬メッセージ等を表示する。
【００３８】
生体センサ１６０は、ユーザの生体情報を測定する。例えば、生体センサ１６０は、血圧センサ１６１を含む。血圧センサ１６１は、ユーザの生体情報として血圧値を測定する。血圧センサ１６１は、連続測定不可能な血圧センサ（以下、非連続型の血圧センサと称す）である。非連続型の血圧センサは、例えば、カフを圧力センサとして用いてユーザの血圧を測定する（オシロメトリック法）。非連続型の血圧センサ（特に、オシロメトリック法の血圧センサ）は、連続型の血圧センサに比べて、測定精度が高い傾向にある。以下では、カフを圧力センサとして用いた血圧センサを例に説明する。
【００３９】
なお、血圧センサ１６１は、連続測定型の血圧センサを含んでもよい。連続測定型の血圧センサは、血圧（例えば、収縮期血圧および拡張期血圧）の値を連続測定する。連続測定型の血圧センサは、１拍ごとの血圧を連続測定するが、これに限定されるものではない。例えば、連続測定型の血圧センサとして、ＰＴＴ方式、トノメトリ方式、光学方式、電波方式、または超音波方式等を用いた血圧センサが適用できる。ＰＴＴ方式は、脈波伝播時間（ＰＴＴ；Pulse Transmit Time）を測定し、測定した脈波伝播時間から血圧値を推定する方式である。トノメトリ方式は、手首の橈骨動脈等の動脈が通る生体部位に圧力センサを直接接触させて、圧力センサが検出する情報を用いて血圧値を測定する方式である。光学方式、電波方式、および超音波方式は、光、電波、または超音波を血管にあててその反射波から血圧値を測定する方式である。
【００４０】
また、生体センサ１６０は、血圧センサ１６１以外のセンサを含むことで、生体情報として、血圧値の他に、脈波情報、脈拍情報、心電情報、心拍情報、および体温情報を測定することができる。
【００４１】
加速度センサ１７０は、測定端末１００が受ける加速度を測定する。例えば、加速度センサ１７０は、３軸または６軸の加速度を測定する。
【００４２】
次に、図３を用いて、本実施形態に係る測定端末１００の外観の一例について説明する。図３は、実施の形態に係る測定端末１００の外観の一例を模式的に例示する斜視図である。
【００４３】
図３に示されるとおり、測定端末１００は、例えば、上腕式の電子血圧計である。測定端末１００は、本体１００Ａ、カフ１００Ｂ、およびチューブ１００Ｃを含む。
【００４４】
本体１００Ａは、表示部１５０および操作部１４０を含む。表示部１５０は、例えば、測定された血圧値を表示する。また、表示部１５０は、服薬に関する情報、例えば、服薬情報（服薬履歴）および服薬を促す服薬メッセージを表示する。操作部１４０は、例えば、電源ボタン１４０Ａおよび操作ボタン１４０Ｂを含む。
【００４５】
電源ボタン１４０Ａは、電源をオン／オフする指示を受け付ける。また、電源ボタン１４０Ａは、血圧計測のための準備をする指示を受け付ける。すなわち、電源ボタン１４０Ａが押下された場合、血圧計測の準備動作が行われた状態と判定される。
【００４６】
一方、操作ボタン１４０Ｂは、血圧計測のための準備動作が行われた状態で操作（１度押下）される場合、血圧の測定開始の指示を受け付ける。また、操作ボタン１４０Ｂは、血圧計測のための準備動作が行われていない状態で操作（１度押下）される場合、服薬情報を記録するための指示を受け付ける。すなわち、操作ボタン１４０Ｂは、血圧計測のための準備動作が行われていない状態でユーザによって押下されることによってユーザが服薬したことを確認するボタンである。操作ボタン１４０Ｂは、服薬直後に押下されることが望ましいが、服薬直前または服薬時に押下されてもよい。操作ボタン１４０Ｂの押下によって、服薬時間帯等の情報を含む服薬確認情報が生成される。服薬時間帯は、図示しない時計部による時間帯情報に基づいて、操作ボタン１４０Ｂが押下された時間帯から算出される。
【００４７】
操作部１４０は、タッチパネル等のソフトウェアボタンとしてではなく、ハードウェアボタン、すなわち、物理的な構成要素のボタンとして設けられる。
【００４８】
カフ１００Ｂには、加速度センサ１７０および流体袋１８０が設けられる。加速度センサ１７０は、ユーザの被測定部位の加速度を検出する。流体袋１８０は、ユーザの被測定部位を圧迫する。カフ１００Ｂがユーザの上腕に装着されることで、ユーザの血圧値が測定される。また、カフ１００Ｂがユーザの上腕に装着された場合、加速度センサ１７０による加速度の検出により血圧計測の準備動作が行われた状態と判定される。
【００４９】
チューブ１００Ｃは、フレキシブルであり、カフ１００Ｂと本体１００Ａとを接続する。このチューブ１００Ｃを介して、本体１００Ａ内部に設けられた図示せぬポンプから流体袋１８０に空気が送り込まれる。
【００５０】
一般的なオシロメトリック法に従って血圧を測定する場合、次のような動作が行われる。まず、ユーザの被測定部位（例えば、上腕）に予めカフ１００Ｂが巻き付けられる。測定が開始されると、図示せぬポンプおよび弁を制御してカフ圧が最高血圧より高く加圧され、その後、徐々に減圧される。この減圧する過程において、カフ圧が検出され、被測定部位の動脈で発生する動脈容積の変動が脈波信号として取り出される。このときのカフ圧の変化に伴う脈波信号の振幅の変化（主に、立ち上がりおよび立ち下がり）に基づいて、最高血圧（Systolic Blood Pressure）および最低血圧（Diastolic Blood Pressure）が算出される。
【００５１】
＜ユーザ端末２００＞
次に、図４を用いて、本実施形態に係るユーザ端末２００のハードウェア構成の一例について説明する。図４は、実施の形態に係るユーザ端末２００のハードウェア構成の一例を模式的に例示するブロック図である。
【００５２】
図４に示されるとおり、本実施形態に係るユーザ端末２００は、制御部２１０、記憶部２２０、操作部２３０、通信部２４０、および表示部２５０を含む。
【００５３】
制御部２１０は、ＣＰＵ２１１およびメモリ２１２を含む。メモリ２１２は、ＲＡＭおよびＲＯＭ等を含む。メモリ２１２は、ＣＰＵ２１１が実行するプログラムを記憶したり、ワークメモリとして機能したりする。制御部２１０は、ＣＰＵ２１１がメモリ２１２を用いてプログラムを実行することにより、各種の動作制御およびデータ処理等を行う。また、制御部２１０は、図示せぬカメラ等で処方箋を撮影し、撮影された処方箋から処方箋情報を読み込んで取得してもよい。また、制御部２１０は、医療者等の入力に基づいて処方箋情報をダウンロードして取得してもよい。
【００５４】
記憶部２２０は、例えばハードディスクドライブ、ソリッドステートドライブ等の補助記憶装置であり、制御部２１０で実行されるプログラムを記憶する。また、記憶部２２０は、測定端末１００で生成されたデータ等を記憶してもよい。また、記憶部２２０は、表示部２５０に表示する表示データ等を記憶してもよい。また、記憶部２２０は、処方箋情報および服薬情報を記憶してもよい。
【００５５】
操作部２３０は、例えば、表示部２５０の表示画面上に設けたタッチパネルを含む。操作部２３０は、これに限らず、操作ボタン、キーボード、およびマウス等を含んでもよい。操作部２３０は、ユーザによる操作を検出し、操作内容を示す操作信号を制御部２１０へ出力する。
【００５６】
通信部２４０は、測定端末１００、およびサーバ４００，５００と通信するための通信インターフェースである。通信部２４０は、測定端末１００へのデータを送信したり、測定端末１００からのデータを受信したりする。また、通信部２４０は、ネットワーク６００を介してサーバ４００，５００へのデータを送信したり、サーバ４００，５００からのデータを受信したりする。通信部２４０による通信は、無線通信あるいは有線通信のいずれであってもよい。本実施形態において、ネットワークは例えばインターネット等を想定して説明するが、これに限定されず、ＬＡＮのような他の種類のネットワークであってもよく、ＵＳＢケーブル等の通信ケーブルを用いた１対１の通信であってもよい。
【００５７】
表示部２５０は、表示画面（例えば、ＬＣＤまたはＥＬディスプレイ等）を含む。表示部２５０は、制御部２１０からの制御信号に従って情報を表示する。表示部２５０は、測定端末１００の表示部１５０の代わりに、服薬に関する情報、例えば、服薬情報（服薬履歴）および服薬を促す服薬メッセージ等を表示してもよい。
【００５８】
＜医療者端末３００＞
次に、図５を用いて、本実施形態に係る医療者端末３００のハードウェア構成の一例について説明する。図５は、実施の形態に係る医療者端末３００のハードウェア構成の一例を模式的に例示するブロック図である。
【００５９】
図５に示されるとおり、本実施形態に係る医療者端末３００は、制御部３１０、記憶部３２０、操作部３３０、通信部３４０、および表示部３５０を含む。
【００６０】
制御部３１０は、ＣＰＵ３１１およびメモリ３１２を含む。メモリ３１２は、ＲＡＭおよびＲＯＭ等を含む。メモリ３１２は、ＣＰＵ３１１が実行するプログラムを記憶したり、ワークメモリとして機能したりする。制御部３１０は、ＣＰＵ３１１がメモリ３１２を用いてプログラムを実行することにより、各種の動作制御およびデータ処理等を行う。
【００６１】
記憶部３２０は、例えばハードディスクドライブ、ソリッドステートドライブ等の補助記憶装置であり、制御部３１０で実行されるプログラムを記憶する。記憶部３２０は、処方箋情報および服薬情報を記憶してもよい。
【００６２】
操作部３３０は、例えば、表示部３５０の表示画面上に設けたタッチパネルを含む。操作部３３０は、これに限らず、操作ボタン、キーボードおよびマウス等を含んでもよい。操作部３３０は、医療者による操作を検出し、操作内容を示す操作信号を制御部３１０へ出力する。
【００６３】
通信部３４０は、サーバ４００と通信するための通信インターフェースである。通信部３４０は、サーバ４００へのデータを送信したり、サーバ４００からのデータを受信したりする。通信部３４０による通信は、無線通信あるいは有線通信のいずれであってもよい。本実施形態において、通信部３４０は、ＬＡＮのような他の種類のネットワークを介してサーバ４００と通信するものを想定して説明するが、これに限定されず、通信ケーブルを用いてシリアルに通信を行うものを含むでもよい。
【００６４】
表示部３５０は、表示画面（例えば、ＬＣＤまたはＥＬディスプレイ等）を含む。表示部３５０は、制御部３１０からの制御信号に従って情報を表示する。
【００６５】
＜サーバ４００＞
次に、図６を用いて、本実施形態に係るサーバ４００のハードウェア構成の一例について説明する。図６は、実施の形態に係るサーバ４００のハードウェア構成の一例を模式的に例示するブロック図である。
【００６６】
図６に示されるとおり、本実施形態に係るサーバ４００は、制御部４１０、記憶部４２０、および通信部４３０を含む。
【００６７】
制御部４１０は、ＣＰＵ４１１およびメモリ４１２を含む。メモリ４１２は、ＲＡＭおよびＲＯＭ等を含む。メモリ４１２は、ＣＰＵ４１１が実行するプログラムを記憶したり、ワークメモリとして機能したりする。制御部４１０は、ＣＰＵ４１１がメモリ４１２を用いてプログラムを実行することにより、各種の動作制御およびデータ処理等を行う。
【００６８】
記憶部４２０は、例えばハードディスクドライブ、ソリッドステートドライブ等の補助記憶装置であり、制御部３１０で実行されるプログラムを記憶する。
【００６９】
通信部４３０は、ユーザ端末２００、医療者端末３００、およびサーバ５００と通信するための通信インターフェースである。通信部４３０は、ローカルネットワークを介して医療者端末３００へのデータを送信したり、医療者端末３００からのデータを受信したりする。また、通信部４３０は、ネットワーク６００を介してユーザ端末２００、およびサーバ５００へのデータを送信したり、ユーザ端末２００、およびサーバ５００からのデータを受信したりする。通信部４３０による通信は、無線通信あるいは有線通信のいずれであってもよい。
【００７０】
＜サーバ５００＞
次に、図７を用いて、本実施形態に係るサーバ５００のハードウェア構成の一例について説明する。図７は、実施の形態に係るサーバ５００のハードウェア構成の一例を模式的に例示するブロック図である。
【００７１】
図７に示されるとおり、本実施形態に係るサーバ５００は、制御部５１０、記憶部５２０、および通信部５３０を含む。制御部５１０は、ＣＰＵ５１１およびメモリ５１２を含む。
【００７２】
制御部５１０、記憶部５２０、通信部５３０、ＣＰＵ５１１、およびメモリ５１２はそれぞれ、上記サーバ４００の制御部４１０、記憶部４２０、通信部４３０、ＣＰＵ４１１、およびメモリ４１２と同様である。
【００７３】
［機能構成］
＜測定端末１００＞
次に、図８を用いて、本実施形態に係る測定端末１００における制御部１１０の機能構成の一例を説明する。図８は、実施の形態に係る測定端末１００における制御部１１０の機能構成の一例を模式的に例示するブロック図である。
【００７４】
測定端末１００の制御部１１０は、記憶部１３０に記憶された服薬管理プログラム１３１をメモリ１１２に展開する。そして、制御部１１０は、メモリ１１２に展開された服薬管理プログラム１３１をＣＰＵ１１１により解釈および実行して、各構成要素を制御する。これにより、図８に示されるとおり、本実施形態に係る測定端末１００の制御部１１０は、処方箋情報取得部１１３、準備動作判定部１１４、血圧計測動作部１１５、服薬記録処理部１１６、服薬情報送信部１１７、および服薬表示制御部１１８として機能する。
【００７５】
処方箋情報取得部１１３は、ユーザ端末２００からユーザの処方箋情報を取得する。処方箋情報は、医療者からの服薬指示に対応するものであり、ユーザ端末２００で取得される。ユーザ端末２００は、例えば図示せぬカメラ等で処方箋を撮影し、撮影された処方箋から処方箋情報を読み込んで取得する。また、ユーザ端末２００は、例えば図示せぬカメラ等でバーコードまたはＱＲコード（登録商標）から処方箋情報を読み込んで取得してもよい。また、ユーザ端末２００は、医療者等の入力に基づいて処方箋情報をダウンロードして取得してもよい。なお、処方箋情報取得部１１３は、ユーザ端末２００と同様の上記方法によって、直接処方箋情報を取得してもよい。
【００７６】
図９は、実施の形態に係る処方箋情報の一例を例示する図である。
【００７７】
図９に示されるとおり、処方箋情報は、例えば、種類、時間帯、および用量等の情報を含む。種類は、処方された薬剤の種類を示す。時間帯は、処方された薬剤の服用すべき時間帯を示す。用量は、処方された薬剤の１度に服用すべき用量を示す。
【００７８】
図９では、例えば、薬剤Ａ，Ｂ，Ｃが処方されている。薬剤Ａは、朝に１錠服用すべき薬剤である。薬剤Ｂは、朝および夜にそれぞれ２錠服用すべき薬剤である。薬剤Ｃは、就寝前に２錠服用すべき薬剤である。
【００７９】
再度、図８に示されるとおり、準備動作判定部１１４は、血圧計測のための準備動作が行われたか否かを判定する。準備動作判定部１１４は、例えば電源ボタン１４０Ａの操作（押下）の有無に応じて、血圧計測の準備動作が行われたか否かを判定する。また、準備動作判定部１１４は、例えばカフ１００Ｂの使用の有無に応じて、血圧計測の準備動作が行われたか否かを判定する。
【００８０】
血圧計測動作部１１５は、準備動作判定部１１４において血圧計測の準備動作が行われたと判定された状態で操作ボタン１４０Ｂが操作（押下）された場合に、血圧計測動作を行う。すなわち、血圧計測動作部１１５は、電源ボタン１４０Ａが操作された状態で操作ボタン１４０Ｂが操作（押下）された場合に、血圧計測動作を行う。または、血圧計測動作部１１５は、カフ１００Ｂが使用された状態で操作ボタン１４０Ｂが操作（押下）された場合に、血圧計測動作を行う。
【００８１】
服薬記録処理部１１６は、血圧計測の準備動作が行われていない状態で、操作ボタンが操作（例えば１度押下）された場合に、その操作を服薬確認操作と判断する。そして、服薬記録処理部１１６は、操作部１４０の操作により入力された服薬確認情報を判定する。服薬確認情報は、血圧計測のための準備動作が行われていない状態でユーザによって操作ボタン１４０Ｂが１度押下されることで入力される情報であり、例えば服薬時間帯の情報を含む。服薬時間帯は、図示しない時計部による時間帯情報に基づいて、操作ボタン１４０Ｂが押下された時間帯から算出される。そして、服薬記録処理部１１６は、服薬確認情報（服薬時間帯）の判定結果に基づいて、取得された処方箋情報から対応する処方薬情報を読み出す。処方薬情報は、処方された薬剤の種類および用量の情報を含む。
【００８２】
より具体的には、服薬記録処理部１１６は、操作ボタン１４０Ｂが押下された時間帯が朝である場合、朝に対応する処方薬情報（朝に服用すべき薬剤の種類および用量の情報）を読み出す。例えば図９に示す処方箋情報によれば、服薬記録処理部１１６は、朝に対応する処方薬情報として１錠の薬剤Ａ、および２錠の薬剤Ｂを読み出す。また、服薬記録処理部１１６は、操作ボタン１４０Ｂが押下された時間帯が夜である場合、夜に対応する処方薬情報（夜に服用すべき薬剤の種類および用量の情報）を読み出す。例えば図９に示す処方箋情報によれば、服薬記録処理部１１６は、夜に対応する処方薬情報として２錠の薬剤Ｂを読み出す。また、服薬記録処理部１１６は、操作ボタン１４０Ｂが押下された時間帯が朝および夜以外である場合、朝および夜以外（例えば、就寝前）に対応する処方薬情報（就寝前に服用すべき薬剤の種類および用量の情報）を読み出す。例えば図９に示す処方箋情報によれば、服薬記録処理部１１６、就寝前に対応する処方薬情報として２錠の薬剤Ｃを読み出す。
【００８３】
なお、例えば、朝は５時から９時、夜は１７時から２１時として設定されるが、これらは任意に設定できる。
【００８４】
さらに、服薬記録処理部１１６は、入力された服薬確認情報および読み出された処方薬情報に基づいて服薬情報を生成して記録する。すなわち、服薬記録処理部１１６は、服薬確認情報の服薬時間帯（服薬日時）に、処方薬情報の薬剤の種類および用量の情報を対応付けて記録する。
【００８５】
図１０は、実施の形態に係る服薬情報の一例を例示する図である。
【００８６】
図１０に示されるとおり、服薬情報は、例えば、服用された薬剤の種類、服用された日時、および服用された薬剤の用量を含む。
【００８７】
図１０では、2017/10/5 7:20に１錠の薬剤Ａおよび２錠の薬剤Ｂが服用され、2017/10/5 19:15に２錠の薬剤Ｂが服用され、2017/10/5 22:10に２錠の薬剤Ｃが服用されている。
【００８８】
なお、服薬情報は、これらに限らない。例えば、この服薬履歴に基づいて、処方薬の残量が算出されてもよい。また、血圧降下のための薬剤は、例えば血圧が十分に下がっている場合には飲む必要はない。このような場合、薬剤を意図的に飲まないことが服薬情報として記録されてもよい。
【００８９】
服薬情報送信部１１７は、ユーザ端末２００に服薬情報を送信する。服薬情報は、ユーザ端末２００の表示部２５０で表示されてもよい。ユーザ端末２００は、測定端末１００（服薬情報送信部１１７）からの服薬情報をサーバ４００，５００に送信する。病院が使用するサーバ４００は、ユーザ端末２００から送信されるユーザの服薬情報を管理する。また、服薬情報は、医療者端末３００に送信され、医療者によって確認されるようにしてもよい。保険会社が使用するサーバ５００は、例えば、ユーザ端末２００から送信されるユーザの服薬情報を判定し、判定結果に応じた保険料のディスカウント処理等を行う。
【００９０】
なお、服薬情報送信部１１７は、服薬情報をサーバ４００，５００に直接送信してもよい。すなわち、服薬情報送信部１１７は、ユーザ端末２００、およびサーバ４００，５００を含む外部装置に服薬情報を送信する。
【００９１】
服薬表示制御部１１８は、服薬に関する情報を表示部１５０に表示するように制御する。服薬に関する情報は、例えば、服薬情報（服薬履歴）および服薬を促す服薬メッセージ等を含む。より具体的には、服薬表示制御部１１８は、例えばユーザの操作部１４０への入力に応じて、表示部１５０に服薬情報を表示する。また、服薬表示制御部１１８は、例えば服薬時刻になると、表示部１５０に服薬を促す服薬メッセージを表示する。
【００９２】
§３  動作例
［測定端末１００］
次に、図１１を用いて、測定端末１００の動作例を説明する。図１１は、測定端末１００の処理手順の一例を例示するフローチャートである。なお、以下で説明する処理手順は一例に過ぎず、各処理は可能な限り変更されてもよい。また、以下で説明する処理手順について、実施の形態に応じて、適宜、ステップの省略、置換、および追加が可能である。
【００９３】
（ステップＳ１１）
ステップＳ１１では、制御部１１０は、処方箋情報取得部１１３として機能し、ユーザ端末２００からユーザの処方箋情報を取得する。
【００９４】
（ステップＳ１２）
ステップＳ１２では、制御部１１０は、準備動作判定部１１４として機能し、血圧計測の準備動作が行われたか否かが判定される。そして、ステップＳ１２において準備動作が行われた場合、処理はステップＳ１３に進む。一方、ステップＳ１２において準備動作が行われていない場合、処理はステップＳ１５に進む。
【００９５】
（ステップＳ１３）
ステップＳ１２に続くステップＳ１３では、制御部１１０は、血圧計測動作部１１５として機能し、操作ボタン１４０Ｂが押下されたか否かを判定する。そして、ステップＳ１３において操作ボタン１４０Ｂが押下された場合、処理はステップＳ１４に進む。一方、ステップＳ１２において操作ボタン１４０Ｂが押下されていない場合、所定時間経過後に処理はステップＳ１２に進む。
【００９６】
（ステップＳ１４）
ステップＳ１３に続くステップＳ１４では、制御部１１０は、血圧計測動作部１１５として機能し、血圧計測動作を行う。
【００９７】
（ステップＳ１５）
ステップＳ１２に続くステップＳ１５では、制御部１１０は、服薬記録処理部１１６として機能する。ステップＳ１５では、制御部１１０は、ユーザによって操作ボタン１４０Ｂが押下されたか否かを判定する。すなわち、制御部１１０は、ユーザによって服薬確認情報が入力されたか否かを判定する。そして、ステップＳ１５において操作ボタン１４０Ｂが押下された場合、制御部１１０はその操作が服薬確認操作であると判断し、処理はステップＳ１６に進む。一方、ステップＳ１５において操作ボタン１４０Ｂが押下されない場合、処理はステップＳ２０に進む。
【００９８】
（ステップＳ１６）
ステップＳ１５に続くステップＳ１６では、制御部１１０は、服薬記録処理部１１６として機能する。ステップＳ１６では、制御部１１０は、操作ボタン１４０Ｂの操作により入力された服薬確認情報の服薬時間帯を判定する。すなわち、操作ボタン１４０Ｂが押下された時間帯が、どの時間帯であるかが判定される。そして、ステップＳ１６において服薬時間帯が朝である場合、処理はステップＳ１７に進む。また、ステップＳ１６において服薬時間帯が夜である場合、処理はステップＳ１８に進む。また、ステップＳ１６において服薬時間帯が朝および夜以外である場合、処理はステップＳ１９に進む。
【００９９】
（ステップＳ１７，Ｓ１８，Ｓ１９）
ステップＳ１６に続くステップＳ１７，Ｓ１８，Ｓ１９では、制御部１１０は、服薬記録処理部１１６として機能する。ステップＳ１７では、制御部１１０は、朝に対応する処方薬情報を読み出す。また、ステップＳ１８では、制御部１１０は、夜に対応する処方薬情報を読み出す。ステップＳ１９では、制御部１１０は、朝および夜以外に対応する処方薬情報を読み出す。
【０１００】
なお、ステップＳ１７，Ｓ１８，Ｓ１９において対応する処方薬情報がない場合、ユーザによる服薬は誤りであると判断される。この場合、制御部１１０は、服薬のエラーメッセージを表示部１５０に表示してもよい。
【０１０１】
（ステップＳ２０）
ステップＳ１５に続くステップＳ２０では、制御部１１０は、服薬記録処理部１１６として機能する。ステップＳ２０では、制御部１１０は、現在時刻が服薬時間帯であるか否かが判定される。ステップＳ２０において服薬時間帯である場合、処理はステップＳ２１に進む。一方、ステップＳ２０において服薬時間帯ではない場合、処理はステップＳ１２に進む。
【０１０２】
（ステップＳ２１）
ステップＳ２０に続くステップＳ２１では、制御部１１０は、服薬記録処理部１１６として機能する。ステップＳ２１では、制御部１１０は、現在時刻が含まれる服薬時間帯に対応する処方薬情報を読み出す。より具体的には、制御部１１０は、現在時刻が朝であれば朝に対応する処方薬情報を読み出し、現在時刻が夜であれば夜に対応する処方薬情報を読み出し、現在時刻が朝および夜以外であれば朝および夜以外に対応する処方薬情報を読み出す。
【０１０３】
（ステップＳ２２）
ステップＳ２１に続くステップＳ２２では、制御部１１０は、服薬表示制御部１１８として機能する。ステップＳ２２では、制御部１１０は、読み出された処方薬情報に基づいて、服薬を促すメッセージを表示部１５０に表示する。表示部１５０は、例えば、朝である場合に「薬剤Ａを１錠、薬剤Ｂを２錠飲んでください」等のメッセージを表示する。
【０１０４】
（ステップＳ２３）
ステップＳ２２に続くステップＳ２３では、制御部１１０は、服薬記録処理部１１６として機能する。ステップＳ２３では、制御部１１０は、ユーザによって操作ボタン１４０Ｂが押下されたか否かを判定する。すなわち、制御部１１０は、ユーザによって服薬確認情報が入力されたか否かを判定する。そして、ステップＳ２３において操作ボタン１４０Ｂが押下された場合、制御部１１０はその操作が服薬確認操作であると判断し、処理はステップＳ２４に進む。一方、ステップＳ２２において操作ボタン１４０Ｂが押下されない場合、処理はステップＳ２６に進む。
【０１０５】
（ステップＳ２４）
ステップＳ１７，Ｓ１８，Ｓ１９，Ｓ２３に続くステップＳ２４では、制御部１１０は、服薬記録処理部１１６として機能する。ステップＳ１７，Ｓ１８，Ｓ１９後のステップＳ２４では、制御部１１０は、ステップＳ１５で入力された服薬確認情報、およびステップＳ１７，Ｓ１８，Ｓ１９で読み出された処方薬情報に基づいて、服薬情報を生成して記録する。一方、ステップＳ２３後のステップＳ２４では、制御部１１０は、ステップＳ２１で読み出された処方薬情報、およびステップＳ２３で入力された服薬確認情報に基づいて、服薬情報を生成して記録する。
【０１０６】
（ステップＳ２６）
ステップＳ２５に続くステップＳ２６では、制御部１１０は、服薬記録処理部１１６として機能し、服薬時間帯が終了したか否かを判定する。そして、ステップＳ２６において服薬時間帯が終了した場合、処理はステップＳ２７に進む。一方、ステップＳ２６において服薬時間帯が終了していない場合、処理はステップＳ２２に進む。
【０１０７】
（ステップＳ２７）
ステップＳ２６に続くステップＳ２７では、制御部１１０は、服薬記録処理部１１６として機能し、服薬なし情報を生成して記録する。服薬なし情報は、ユーザが服薬をしていないことを示す情報であり、例えば、服用していない日時を含む。
【０１０８】
（ステップＳ２５）
ステップＳ２４，Ｓ２７に続くステップＳ２５では、制御部１１０は、服薬情報送信部１１７として機能する。ステップＳ２５では、制御部１１０は、ステップＳ２４で記録された服薬情報、およびステップＳ２７で記録された服薬なし情報をユーザ端末２００に送信する。
【０１０９】
§４  作用・効果
以上のように本実施形態では、測定端末１００は、血圧計測のための準備動作が行われていない状態で操作ボタン１４０Ｂが操作された場合に、その操作を服薬確認操作と判断する。そして、測定端末１００は、取得された処方箋情報に基づいて服薬情報を生成して記録する。このとき、操作ボタン１４０Ｂの操作は、例えば操作ボタン１４０Ｂを１度押下することにより行われる。すなわち、服薬情報を記録するに際して、ユーザによる複雑な操作は不要である。このため、ユーザの負担を減らし、容易に服薬情報を記録することができる。
【０１１０】
また、本実施形態では、測定端末１００は、服薬時間帯になると、服薬時間帯に基づいて処方箋情報から対応する処方薬情報を読み出し、服薬を促す服薬メッセージを表示する。これにより、ユーザが服薬自体を忘れることも防ぐことができる。
【０１１１】
本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【０１１２】
１００…測定端末、
１１０…制御部、１２０…通信部、１３０…記憶部、
１４０…操作部、１５０…表示部、１６０…生体センサ、
１７０…加速度センサ、
１１１…ＣＰＵ、１１２…メモリ、
１１３…処方箋情報取得部、１１４…準備動作判定部
１１５…血圧計測動作部、１１６…服薬記録処理部、
１１７…服薬情報送信部、１１８…服薬表示制御部、
１３１…服薬管理プログラム、
１６１…血圧センサ、
１００Ａ…本体、１００Ｂ…カフ、１００Ｃ…チューブ、
１４０Ａ…電源ボタン、１４０Ｂ…操作ボタン
１８０…流体袋、
２００…ユーザ端末、
２１０…制御部、２２０…記憶部、２３０…操作部、
２４０…通信部、２５０…表示部、
２１１…ＣＰＵ、２１２…メモリ、
３００…医療者端末、
３１０…制御部、３２０…記憶部、３３０…操作部、
３４０…通信部、３５０…表示部、
３１１…ＣＰＵ、３１２…メモリ、
４００…サーバ、
４１０…制御部、４２０…記憶部、４３０…通信部、
４１１…ＣＰＵ、４１２…メモリ、
５００…サーバ、
５１０…制御部、５２０…記憶部、５３０…通信部、
５１１…ＣＰＵ、５１２…メモリ、
６００…ネットワーク
【図１】
2019109811.tif 000003
【図２】
2019109811.tif 000004
【図３】
2019109811.tif 000005
【図４】
2019109811.tif 000006
【図５】
2019109811.tif 000007
【図６】
2019109811.tif 000008
【図７】
2019109811.tif 000009
【図８】
2019109811.tif 000010
【図９】
2019109811.tif 000011
【図１０】
2019109811.tif 000012
【図１１】
2019109811.tif 000013